(57)【要約】【課題】  構造が簡単であり、低コストであるとともに、良好な安全性を有する橋梁下面補修用移動式足場を提供することである。【解決手段】  足場本体（１２）と、地覆部に橋軸方向に所定間隔へだてて固定され、地覆部から外方に突出した突出梁をそれぞれ有する複数のレールハンガー（１６）と、レールハンガーの突出梁に橋軸方向に延びるように取り付けられたレール（１８）と、レールにトロリー（２０）を介して設置され、足場本体をワイヤを介して昇降させるための足場本体昇降機（２４）とを備え、足場本体が、足場本体昇降機によって所望高さに昇降され、レールに沿って移動させることにより橋軸方向の所望個所に移動されるように構成されていることを特徴とする移動式足場（１０）が提供される。【選択図】  図１
2012102468.tif 000002
【特許請求の範囲】
【請求項１】
橋梁下面補修用移動式足場であって、
作業員が載る床となる足場本体と、
橋梁の上部工の地覆部に橋軸方向に所定間隔へだてて固定され、地覆部から外方に突出した突出梁をそれぞれ有する複数のレールハンガーと、
前記レールハンガーの突出梁に橋軸方向に延びるように取り付けられたレールと、
前記レールにトロリーを介して設置され、前記足場本体をワイヤを介して昇降させるための足場本体昇降機とを備え、
前記足場本体が、前記足場本体昇降機によって所望高さに昇降され、前記レールに沿って移動させることにより橋軸方向の所望個所に移動されるように構成されていることを特徴とする移動式足場。
【請求項２】
前記足場本体に可倒式の手摺が取り付けられており、
足場本体の主桁材に所定間隔隔てて取り付けられた一対の固定板と、手摺の柱材の下端に取り付けられ、前記固定板間の隙間に配置された回転板とを有し、各固定板に、垂直方向に延びたスロット穴と、スロット穴の下方に配置された丸穴とが設けられ、回転板に、丸穴と、丸穴の下方に配置され、回転板の下端まで延びた切欠きとが設けられ、固定板のスロット穴と回転板の丸穴に第１ボルトが挿入され、固定板の丸穴と回転板の切欠きに第２ボルトが挿入されており、
手摺の柱材を上方に引き上げ、スロット穴の下端に位置している第１ボルトをスロット穴の上端まで移動させ、切欠きの上端に位置している第２ボルトを切欠き外に移動させることにより、第２ボルトと切欠きとの係止による回転板のロック状態を解除し、柱材を第１ボルトを中心として回転させるように構成されていることを特徴とする請求項１に記載された移動式足場。
【請求項３】
前記足場本体に可倒式の手摺が取り付けられており、
足場本体の主桁材に水平方向に延びるように取り付けられた固定板と、手摺の柱材の下端に垂直方向に延びるように取り付けられた回転板と、係止板とを有し、固定板に、丸穴付きの一対の回転支持板が所定間隔隔てて垂直方向上方に延びるように取り付けられ、回転板に、丸穴と、丸穴の側方に配置され、回転板の下端まで延びた切欠きとが設けられ、回転板が回転支持板間の隙間に配置され、回転板の丸穴と回転支持板の丸穴にボルトが挿入されており、
係止板に、水平板と、水平板の上面に間隔を隔てて垂直方向上方に延びるように配置された第１及び第２突出部とが設けられ、係止板の水平板が、固定板の下面に位置し、固定板に設けられた開口部から第１及び第２突出部が上方に延びるように配置されており、
第１突出部に、コイルバネが装着され、第２突出部に、水平方向外方に延びた突起が設けられ、前記突起が、回転板の切欠きに嵌まっており、
係止板の第１突出部を押し下げ、第１突出部をコイルバネのバネ力に抗して下方に移動させ、第２突出部を下方に移動させることにより、前記突起と切欠きとの係止による回転板のロック状態を解除し、柱材をボルトを中心として回転させるように構成されていることを特徴とする請求項１に記載された移動式足場。
【請求項４】
前記請求項１から請求項３のいずれか１項に記載された橋梁下面補修用移動式足場の設置方法であって、
垂直梁、垂直梁の上端に斜め上方に延びるように取り付けられた上部水平梁、および垂直梁の下端に水平方向に延びるように取り付けられた下部水平梁を有し、全体としてコ字形に形成された吊り治具を準備する段階と、
橋梁の床板上に、長手方向が橋軸方向に向くように足場本体を配置し、吊り治具の下部水平梁の下面に足場本体を取り付け、上部水平梁にワイヤを取り付ける段階と、
吊り治具および足場本体をワイヤを介して吊り上げ、橋梁の地覆部の外側に移動させ、吊り治具の下部水平梁および足場本体が橋梁の下面より下方に位置するまで吊り治具および足場本体を下降させる段階と、
足場本体が橋軸方向とほぼ直交するように、吊り治具および足場本体を９０°回転させる段階と、
橋梁の床板上に配置した吊り治具固定架台を用いて、吊り治具の上部水平梁を橋梁に仮固定する段階と、
トロリーを介してレールに足場本体昇降機を設置し、ワイヤを介して足場本体昇降機と足場本体を接続する段階と、
吊り治具を吊っているワイヤを盛り替え、吊り治具と足場本体との接続を外す段階と、
を含むことを特徴とする設置方法。
【発明の詳細な説明】
【技術分野】
【０００１】
本発明は一般に、橋梁の補修に用いられる足場に関する。より詳細には、本発明は、橋梁の下面を補修するための移動式足場および該足場の設置方法に関する。
【背景技術】
【０００２】
橋梁の建設は、昭和３０年代から増え始め、昭和５０年頃にピークを迎えた。橋梁の寿命は一般的に、５０年といわれており、ピーク時に建設された橋梁が建設後３０年程度経過しているため、多数の橋梁の補修が必要となってきている。補修が必要な橋梁の数は、約７万２千にのぼると推定されている。
【０００３】
橋梁の補修に際しては、作業用足場が必要となる。従来の橋梁下面の補修のための作業用足場として、補修しようとする橋梁の下面全体を覆うような型式のものや、橋梁の下面全体を覆わずに足場を必要な箇所に移動させる移動式のものが用いられている。
【発明の開示】
【発明が解決しようとする課題】
【０００４】
しかしながら、橋梁の下面全体を覆う型式のものは、多数の足場機材が必要となるため、コスト高になるとともに、高所作業が増えるため、安全面での問題が多いという課題がある。また、移動式足場は、構造が複雑であるため、高価なものとなり、故障等に対応する維持管理コストも嵩むという課題がある。さらに、従来の足場では、橋脚が低い橋梁の場合には洪水期に足場が冠水するおそれがあるため、渇水期の限られた期間しか補修作業をすることができないという不都合もある。
【０００５】
本発明は、このような状況に鑑みて開発されたものであって、構造が簡単であり、低コストであるとともに、良好な安全性を有する橋梁下面補修用移動式足場および該足場の設置方法を提供することを目的としている。
【課題を解決するための手段】
【０００６】
本願請求項１に記載の橋梁下面補修用移動式足場は、作業員が載る床となる足場本体と、橋梁の上部工の地覆部に橋軸方向に所定間隔へだてて固定され、地覆部から外方に突出した突出梁をそれぞれ有する複数のレールハンガーと、前記レールハンガーの突出梁に橋軸方向に延びるように取り付けられたレールと、前記レールにトロリーを介して設置され、前記足場本体をワイヤを介して昇降させるための足場本体昇降機とを備え、前記足場本体が、前記足場本体昇降機によって所望高さに昇降され、前記レールに沿って移動させることにより橋軸方向の所望個所に移動されるように構成されていることを特徴とするものである。
【０００７】
本願請求項２に記載の橋梁下面補修用移動式足場は、前記請求項１の足場において、前記足場本体に可倒式の手摺が取り付けられており、足場本体の主桁材に所定間隔隔てて取り付けられた一対の固定板と、手摺の柱材の下端に取り付けられ、前記固定板間の隙間に配置された回転板とを有し、各固定板に、垂直方向に延びたスロット穴と、スロット穴の下方に配置された丸穴とが設けられ、回転板に、丸穴と、丸穴の下方に配置され、回転板の下端まで延びた切欠きとが設けられ、固定板のスロット穴と回転板の丸穴に第１ボルトが挿入され、固定板の丸穴と回転板の切欠きに第２ボルトが挿入されており、手摺の柱材をを上方に引き上げ、スロット穴の下端に位置している第１ボルトをスロット穴の上端まで移動させ、切欠きの上端に位置している第２ボルトを切欠き外に移動させることにより、第２ボルトと切欠きとの係止による回転板のロック状態を解除し、柱材を第１ボルトを中心として回転させるように構成されていることを特徴とするものである。
【０００８】
本願請求項３に記載の橋梁下面補修用移動式足場は、前記請求項１の足場において、前記足場本体に可倒式の手摺が取り付けられており、足場本体の主桁材に水平方向に延びるように取り付けられた固定板と、手摺の柱材の下端に垂直方向に延びるように取り付けられた回転板と、係止板とを有し、固定板に、丸穴付きの一対の回転支持板が所定間隔隔てて垂直方向上方に延びるように取り付けられ、回転板に、丸穴と、丸穴の側方に配置され、回転板の下端まで延びた切欠きとが設けられ、回転板が回転支持板間の隙間に配置され、回転板の丸穴と回転支持板の丸穴にボルトが挿入されており、係止板に、水平板と、水平板の上面に間隔を隔てて垂直方向上方に延びるように配置された第１及び第２突出部とが設けられ、係止板の水平板が、固定板の下面に位置し、固定板に設けられた開口部から第１及び第２突出部が上方に延びるように配置されており、第１突出部に、コイルバネが装着され、第２突出部に、水平方向外方に延びた突起が設けられ、前記突起が、回転板の切欠きに嵌まっており、係止板の第１突出部を押し下げ、第１突出部をコイルバネのバネ力に抗して下方に移動させ、第２突出部を下方に移動させることにより、前記突起と切欠きとの係止による回転板のロック状態を解除し、柱材をボルトを中心として回転させるように構成されていることを特徴とするものである。
【０００９】
本願請求項４に記載の、前記請求項１から請求項３のいずれか１項に記載された橋梁下面補修用移動式足場の設置方法は、垂直梁、垂直梁の上端に斜め上方に延びるように取り付けられた上部水平梁、および垂直梁の下端に水平方向に延びるように取り付けられた下部水平梁を有し、全体としてコ字形に形成された吊り治具を準備する段階と、橋梁の床板上に、長手方向が橋軸方向に向くように足場本体を配置し、吊り治具の下部水平梁の下面に足場本体を取り付け、上部水平梁にワイヤを取り付ける段階と、吊り治具および足場本体をワイヤを介して吊り上げ、橋梁の地覆部の外側に移動させ、吊り治具の下部水平梁および足場本体が橋梁の下面より下方に位置するまで吊り治具および足場本体を下降させる段階と、足場本体が橋軸方向とほぼ直交するように、吊り治具および足場本体を９０°回転させる段階と、橋梁の床板上に配置した吊り治具固定架台を用いて、吊り治具の上部水平梁を橋梁に仮固定する段階と、トロリーを介してレールに足場本体昇降機を設置し、ワイヤを介して足場本体昇降機と足場本体を接続する段階と、吊り治具を吊っているワイヤを盛り替え、吊り治具と足場本体との接続を外す段階とを含むことを特徴とするものである。
【発明の効果】
【００１０】
本発明の移動式足場においては、橋梁下面の全体に足場を設置することなしに、足場本体を橋軸方向の所望個所および橋梁下面の所望高さのところに移動させることができるので、安全かつ効率的な補修作業を実施することができるとともに、渇水期に補修作業を行うこともできる。また、本発明の移動式足場は、構造が簡単であるため、製造コストおよび維持管理コストを安価に抑えることができる。また、足場本体に取り付けられる手摺を折り畳み式にしたことにより、足場本体を橋梁下面近くの個所まで上昇させることができる。さらに、本発明の設置方法においては、専用の吊り治具を使用することにより、本発明の移動式足場を橋梁床板上から安全かつ容易に吊り下げることができる。
【発明を実施するための最良の形態】
【００１１】
次に図面を参照して、本発明の好ましい実施の形態に係る橋梁下面補修用移動式足場について詳細に説明する。図１は、本発明の好ましい実施の形態に係る橋梁下面補修用移動式足場が橋梁の下面に設置されている状態を示した斜視図、図２は、図１の正面図である。図１および図２において全体として参照符号１０で示される本発明の好ましい実施の形態に係る橋梁下面補修用移動式足場は、作業員が載る床となる足場本体１２を備えている。
【００１２】
図３（ａ）は、足場本体１２の一例を示した分解斜視図である。図３（ａ）に示される足場本体１２は、対向して配置された一対の主桁材（溝型鋼）１２ａ、主桁材１２ａを連結する複数の横架材（角パイプ材）１２ｂ、主桁材１２ａと横架材１２ｂによって形成される矩形面上に配置された床板（波型鋼板）１２ｃ、及び床板１２ｃを被覆するように配置されたベニヤ板１２ｄとからなるユニットを、継手板１２ｅおよび連結ボルト１２ｆによって連結する（図３（ｂ）参照）ことによって構成されている。このように構成することにより、補修しようとする橋梁の横断長さに対応した足場本体１２を提供することができるとともに、ユニット状態での搬送ができるので良好な輸送性を得ることもできる。上述のベニヤ板１２ｄは、滑り止めの役目を果たすとともに、床部の破損時にベニヤ板１２ｄの交換のみで足りる場合があるので維持管理コストの低減にも役立つ。なお、足場本体１２には、作業員の安全のため、手摺１４が取り付けられている（図１参照）。
【００１３】
橋梁下面補修用移動式足場１０は又、橋梁上部工の地覆部に橋軸方向に所定間隔へだてて固定された複数のレールハンガー１６を備えている。各レールハンガー１６は、図４（ａ）に示されるように、地覆部から外方に突出した突出梁１６ａと、突出梁１６の端部から地覆部内面に接触するように垂下した第１固定梁１６ｂと、突出梁１６から地覆部外面に接触するように垂下した第２固定梁１６ｃとを有しており、第１固定梁１６ｂと地覆部とをアンカーボルト１６ｄで固定することにより、各レールハンガー１６を地覆部に堅固に取り付けることができる。なお、レールハンガー１６は、地覆部の形状に応じてＨ型鋼を加工することによって形成される。
【００１４】
橋梁下面補修用移動式足場１０は又、レールハンガー１６の突出梁１６ａに橋軸方向に延びるように取り付けられたレール１８を備えている。レール１８としては、Ｈ型鋼が使用され、適当な締結具を用いて突出梁１６ａに堅固に固定される。
【００１５】
橋梁下面補修用移動式足場１０は更に、レール１８にトロリー２０を介して設置され、足場本体１２をワイヤ２２を介して昇降させるための足場本体昇降機２４を備えている。足場本体昇降機２４としては、通常の電動チェーンブロックを使用してよい。
【００１６】
好ましくは、橋梁下面補修用移動式足場１０の足場本体１２に取り付けられる手摺１４は、不使用時に倒すことができる可倒式の構造を有している。可倒式の構造としては、図７に示す第１方式と、図８に示す第２方式とがある。
【００１７】
図７（ｂ）は、第１方式の構造を示した分解斜視図である。第１方式では、一対の固定板１４１が足場本体１２の主桁材１２ａのウエブに所定間隔隔てて取り付けられている。各固定板１４１には、垂直方向に延びたスロット穴１４１ａと、スロット穴１４１ａの下方に配置された丸穴１４１ｂとが設けられている。手摺１４の柱材１４ａの下端には、回転板１４２が垂直方向に延びるように取り付けられている。回転板１４２には、丸穴１４２ａと、丸穴１４２ａの下方に配置され、回転板１４２の下端まで延びた切欠き１４２ｂとが設けられている。回転板１４２は、一対の固定板１４１間の隙間に配置され、スロット穴１４１ａと丸穴１４２ａに第１ボルト１４３が挿入されてナットが取り付けられ、丸穴１４１ｂと切欠き１４２ｂに第２ボルト１４４が挿入されてナットが取り付けられている。
【００１８】
図７（ｃ）は、手摺１４が起立している状態を示している。手摺１４を倒そうとする場合には、手摺１４の柱材１４ａを上方に引き上げる。すると、スロット穴１４１ａの下端に位置している第１ボルト１４３がスロット穴１４１ａの上端まで移動するとともに、切欠き１４２ｂの上端に位置している第２ボルト１４４が切欠き１４２ｂ外に移動する（図７（ｄ））。これにより、回転板１４２は、第２ボルト１４４と切欠き１４２ｂとの係止によるロック状態が解除されるので、柱材１４ａを第１ボルト１４３を中心として回転させることができる（図７（ｅ））。
【００１９】
図８（ｂ）は、第２方式の構造を示した分解斜視図である。第２方式では、固定板１４５と、回転板１４６と、係止板１４７とが設けられている。固定板１４５は、足場本体１２の主桁材１２ａのウエブに水平方向に延びるように取り付けられている。固定板１４５には、一対の回転支持板１４５ａが所定間隔隔てて垂直方向上方に延びるように取り付けられており、各回転支持板１４５ａには、丸穴１４５ａ１が設けられている。固定板１４５には又、第１開口部１４５ｂと第２開口部１４５ｃが設けられている。回転板１４６は、手摺１４の柱材１４ａの下端に、垂直方向に延びるように取り付けられている。回転板１４６には、丸穴１４６ａと、丸穴１４６ａの側方に配置され、回転板１４６の下端まで延びた切欠き１４６ｂとが設けられている。係止板１４７は、水平板１４７ａと、水平板１４７ａの上面に間隔を隔てて垂直方向上方に延びるように配置された第１突出部１４７ｂおよび第２突出部１４７ｃとを有しており、水平板１４７ａが固定板１４５の下面に位置し、第１突出部１４７ｂと第２突出部１４７ｃが第１開口部１４５ｂと第２開口部１４５ｃから上方に延びるように配置されている。第１突出部１４７ｂにはコイルバネ１４７ｂ１が装着されており、第１突出部１４７ｂの上端にはコイルバネ１４７ｂ１が脱落しないようにストッパ１４７ｂ２が設けられている。第２突出部１４７ｃには、水平方向外方に延びた突起１４７ｃ１が設けられている。回転板１４６は、一対の回転支持板１４５ａ間の隙間に配置され、丸穴１４５ａ１と丸穴１４６ａにボルト１４８が挿入されてナットが取り付けられ、係止板１４７の第２突出部１４７ｃの突起１４７ｃ１が、回転板１４６の切欠き１４６ｂに嵌まっている。なお、固定板１４５に設けられている第１及び第２開口部１４５ｂ、１４５ｃを１つの開口部にしてもよい。
【００２０】
図８（ｃ）は、手摺１４が起立している状態を示している。手摺１４を倒そうとする場合には、係止板１４７の第１突出部１４７ｂを踏む。すると、第１突出部１４７ｂは、コイルバネ１４７ｂ１のバネ力に抗して下方に移動するとともに、第２突出部１４７ｃも下方に移動する（図８（ｄ））。これにより、回転板１４６は、係止板１４７の第２突出部１４７ｃの突起１４７ｃ１と切欠き１４６ｂとの係止によるロック状態が解除されるので、柱材１４ａをボルト１４８を中心として回転させることができる（図８（ｅ））。
【００２１】
次に、橋梁下面補修用移動式足場１０の設置方法について説明する。設置に際しては、専用の吊り治具２６を使用する。吊り治具２６は、図６（ａ）に最も良く示されるように、垂直梁２６ａと、垂直梁２６ａの上端に斜め上方に延びるように取り付けられた上部水平梁２６ｂと、垂直梁２６ａの下端に水平方向に延びるように取り付けられた下部水平梁２６ｃとを有し、全体としてコ字形の形状に形作られている。吊り治具２６の上部水平梁２６ｂの両端には、吊り上げ用のワイヤを取り付けるためのワイヤ取付部２６ｂ１、２６ｂ２が設けられている。吊り治具２６は、Ｈ型鋼を溶接等で連結することによって形成されている。また、吊り治具２６の上部水平梁２６ｂを傾斜状態に取り付けたのは、足場設置時における橋梁床板上の作業空間を確保するためである。
【００２２】
なお、設置工程の適当な段階で、橋梁の地覆部にレールハンガー１６を配置し、レールハンガー１６にレール１８を取り付けておく。
【００２３】
まず、補修しようとする橋梁の床板上に所要長さの足場本体１２および吊り治具２６を配置する（その際、足場本体１２の長手方向が橋軸方向に向くように配置することにより、橋梁の横断幅よりも長い足場本体１２を橋梁の床板上に配置することができる）。そして、吊り治具２６のワイヤ取付部２６ｂ１、２６ｂ２にワイヤを取り付けるとともに、吊り治具２６の下部水平梁２６ｃの下面に足場本体１２を取り付ける（図５（ａ））。次いで、クレーン（図示せず）を用いてワイヤを介して吊り治具２６および足場本体１２を吊り上げて、橋梁の地覆部の外側に移動させ、吊り治具２６の下部水平梁２６ｃおよび足場本体１２が橋梁の下面より下方に位置するまで吊り治具２６および足場本体１２を下降させ（図５（ｂ））、次いで、吊り治具２６および足場本体１２をほぼ９０°回転させる（図５（ｃ））。この状態では、吊り治具２６の上部水平梁２６ｂと下部水平梁２６ｃとの間の空間に橋梁本体の端部が位置していることとなる。
【００２４】
次いで、吊り治具２６を橋梁に仮固定するための吊り治具固定架台２８を設置する（図５（ｄ））。吊り治具固定架台２８は、図６（ｂ）に最も良く示されるように、四隅に配置された４本の柱材２８ａ、２８ｂ、２８ｃ、２８ｄと、水平方向の変形を拘束するための横材２８ｅ、ブレース材２８ｆとによって形成されており、吊り治具２６の上部水平梁２６ｂの傾斜に合致するように、柱材２８ａ、２８ｂと柱材２８ｃ、２８ｄの長さが選定されている。吊り治具２６の仮固定は、橋梁の床板上に置かれた吊り治具固定架台２８の上端で吊り治具２６の上部水平梁２６ｂを支持し、適当な締結具で固定することによって行われる（図５（ｅ））。なお、図６（ｂ）に示される吊り治具固定架台２８は、例示的なものであり、吊り治具２６を橋梁に仮固定することができるものであれば、他の形態にしてもよい。
【００２５】
次いで、トロリー２０を介してレール１８に足場本体昇降機２４を設置し、ワイヤ２２を介して足場本体昇降機２４と足場本体１２を接続する（図５（ｆ））。この時点で、足場本体１２が足場本体昇降機２４およびワイヤを介してレールハンガー１６に吊り下げられることとなる。
【００２６】
次いで、吊り治具２６を吊っているワイヤを盛り替え（図５（ｇ））、吊り治具２６と足場本体１２との接続、吊り治具２６と吊り治具固定架台２８との接続を外し、吊り治具２６を吊り上げる（図５（ｈ））ことにより、橋梁下面補修用移動式足場１０の設置が完了する。
【００２７】
以上のように構成された橋梁下面補修用移動式足場１０の使用について説明する。上述のようにして補修用移動式足場１０を設置した後、作業員が足場本体１２に乗り移る。そして、作業状況に応じて、足場本体昇降機２４を昇降させて足場本体１２の高さを上下動させたり、レール１８に沿って足場本体１２を橋軸方向に移動させたりして補修作業を行う。河川の水位が高い場合や、補修作業を行わない場合は、足場本体１２を橋梁下面まで上昇させることによって、足場本体１２が冠水するのを防止することができる。
【００２８】
本発明は、以上の発明の実施の形態に限定されることなく、特許請求の範囲に記載された発明の範囲内で、種々の変更が可能であり、それらも本発明の範囲内に包含されるものであることはいうまでもない。
【００２９】
たとえば、前記実施の形態では、足場本体１２が主桁材１２ａ、横架材１２ｂ、面材１２ｃおよびベニヤ板１２ｄで形成されているが、作業員が載るのに支障がないものであれば、他の形態にしてもよい。また、吊り治具２６および吊り治具固定架台２８は、所要の目的を達成できるものであれば、図示されている以外の形態にしてもよい。
【図面の簡単な説明】
【００３０】
【図１】本発明の好ましい実施の形態に係る橋梁下面補修用移動式足場が橋梁の下面に設置されている状態を示した斜視図である。
【図２】図１の正面図である。
【図３】図３（ａ）は、足場本体の一例を示した分解斜視図、図３（ｂ）は、足場本体のユニットの連結状態を示した図である。
【図４】図４（ａ）は、図２の部分４ａの拡大図、図４（ｂ）は、図４（ａ）の線４ｂ−４ｂに沿って見た平面図、図４（ｂ）は、図４（ａ）の線４ｃ−４ｃに沿って見た側面図である。
【図５】図１の橋梁下面補修用移動式足場の設置工程を示した一連の図である。
【図６】図６（ａ）は、図１の橋梁下面補修用移動式足場の設置に用いられる吊り治具を示した図、図６（ｂ）は、図１の橋梁下面補修用移動式足場の設置に用いられ吊り治具固定架台を示した図である。
【図７】可倒式の手摺において、第１方式の構造および動作手順を示した一連の図である。
【図８】可倒式の手摺において、第２方式の構造および動作手順を示した一連の図である。
【符号の説明】
【００３１】
１０  橋梁下面補修用移動式足場
１２  足場本体
１２ａ  主桁材
１２ｂ  横架材
１２ｃ  面材
１２ｄ  ベニヤ板
１２ｅ  継手板
１２ｆ  連結ボルト
１４  手摺
１４ａ  柱材
１４１  固定板
１４１ａ  スロット穴
１４１ｂ  丸穴
１４２  回転板
１４２ａ  丸穴
１４２ｂ  切欠き
１４３  第１ボルト
１４４  第２ボルト
１４５  固定板
１４５ａ  回転支持板
１４５ａ１  丸穴
１４５ｂ  第１開口部
１４５ｃ  第２開口部
１４６  回転板
１４６ａ  丸穴
１４６ｂ  切欠き
１４７  係止板
１４７ａ  水平板
１４７ｂ  第１突出部
１４７ｂ１  コイルバネ
１４７ｂ２  ストッパ
１４７ｃ  第２突出部
１４７ｃ１  突起
１４８  ボルト
１６  レールハンガー
１６ａ  突出梁
１６ｂ  第１固定梁
１６ｃ  第２固定梁
１６ｄ  アンカーボルト
１８  レール
２０  トロリー
２２  ワイヤ
２４  足場本体昇降機
２６  吊り治具
２６ａ  垂直梁
２６ｂ  上部水平梁
２６ｃ  下部水平梁
２８  吊り治具固定架台
２８ａ〜２８ｄ  柱材
２８ｅ  横材
２８ｆ  ブレース材
【図１】
2012102468.tif 000003
【図２】
2012102468.tif 000004
【図３】
2012102468.tif 000005
【図４】
2012102468.tif 000006
【図５】
2012102468.tif 000007
【図６】
2012102468.tif 000008
【図７】
2012102468.tif 000009
【図８】
2012102468.tif 000010